(57)【特許請求の範囲】
【請求項１】
複数の一次側接続端子を備えてなる一次側接続部と、複数の二次側接続端子を備えてなる二次側接続部とを備え、前記二次側接続部にブレーカの一次側端子部を接続する端子台であって、
ねじ式ブレーカの一次側端子部を接続可能なねじ孔を有するねじ式二次側接続端子と、プラグイン式ブレーカの一次側端子部を接続可能なプラグイン式二次側接続端子とを一体的に設けてなる導電板を複数並設することにより、
前記二次側接続部として、ねじ式二次側接続部とプラグイン式二次側接続部とが備えられていることを特徴とする端子台。
【請求項２】
導電板が、所定方向へ長尺な薄板部と、該薄板部から直交方向へ切断可能に突設された枝部とからなり、前記枝部の端部にねじ式二次側接続端子が設けられており、前記枝部を切断すると、その切断箇所がプラグイン式二次側接続端子として利用可能となることを特徴とする請求項１に記載の端子台。
【発明の詳細な説明】
【技術分野】
【０００１】
本発明は、分電盤等に搭載する端子台に関するものである。
【背景技術】
【０００２】
一般的に、各住宅等には、たとえば商用電源を一般電灯・コンセント回路用の主幹ブレーカや電気温水器用ブレーカ等に分電するための住宅用分電盤が設置される。該住宅用分電盤には、各ブレーカと商用電源とを接続する端子台が搭載される。
【０００３】
ここで、端子台に接続するブレーカとしては、一次側の端子部にねじ孔が設けられており、ねじ止めにより端子台の二次側接続部と接続される所謂ねじ式ブレーカと、一次側の端子部にねじ孔を設けず、差し込み動作によって端子台の二次側接続部と接続可能な所謂プラグイン式ブレーカ（たとえば、特許文献１に開示）とが従来より知られている。
【０００４】
【特許文献１】特開２００４−３０９９５号公報
【０００５】
そのため、上記両タイプのブレーカを利用する場合には、二次側接続部がねじ式ブレーカを接続可能に構成されたねじ式端子台と、二次側接続部がプラグイン式ブレーカを接続可能に構成されたプラグイン式端子台との二種類の端子台を準備し、搭載していた。
【発明の開示】
【発明が解決しようとする課題】
【０００６】
しかしながら、ブレーカの一次側端子部の形状に応じて複数種類の端子台を使い分けなければならないため、準備や搭載時の作業に非常に手間がかかる。また、複数の端子台を搭載しなければならないおそれがあることから、分電盤のケースを予め大きく形成しておく必要が生じる。したがって、分電盤を設置するためのスペースを広くとらなければならず、分電盤の設置場所に制限が生じてしまうといった問題や、端子台を１つしか設置しない場合等に、分電盤内に余分なフリースペースが生じ過ぎるといった問題を引き起こす。
【０００７】
そこで、本発明は、上記課題に鑑みなされたものであって、ねじ式ブレーカ及びプラグイン式ブレーカのどちらのタイプのブレーカであっても接続することができる端子台を提供しようとするものである。
【課題を解決するための手段】
【０００８】
上記目的を達成するために、本発明のうち請求項１に記載の発明は、複数の一次側接続端子を備えてなる一次側接続部と、複数の二次側接続端子を備えてなる二次側接続部とを備え、前記二次側接続部にブレーカの一次側端子部を接続する端子台であって、ねじ式ブレーカの一次側端子部を接続可能なねじ孔を有するねじ式二次側接続端子と、プラグイン式ブレーカの一次側端子部を接続可能なプラグイン式二次側接続端子とを一体的に設けてなる導電板を複数並設することにより、前記二次側接続部として、ねじ式二次側接続部とプラグイン式二次側接続部とが備えられていることを特徴とする。
請求項２に記載の発明は、請求項１の発明において、導電板が、所定方向へ長尺な薄板部と、該薄板部から直交方向へ切断可能に突設された枝部とからなり、前記枝部の端部にねじ式二次側接続端子が設けられており、前記枝部を切断すると、その切断箇所がプラグイン式二次側接続端子として利用可能となることを特徴とする。
【発明の効果】
【０００９】
本発明によれば、端子台に、ねじ式ブレーカの一次側端子部を接続可能なねじ式二次側接続部と、プラグイン式ブレーカの一次側端子部を接続可能なプラグイン式二次側接続部とを備えている。したがって、従来のように、ブレーカの一次側端子部の構造に応じて複数種類の端子台を準備したり、分電盤への搭載に際して使い分けたりする必要がなく、使い勝手が非常に良い。また、一の端子台にて、ねじ式及びプラグイン式の両タイプのブレーカを接続することができるため、従来のように複数の端子台を搭載する場合と比較して、分電盤への搭載に係る作業が容易となる。さらに、一次側接続部を両二次側接続部が共有するよう構成することにより、従来と比較して、端子台の搭載に必要なスペースを極めて抑えることができ、分電盤のケースのコンパクト化や、分電盤の設置に係る自由度の向上といった効果をも期待することができる。
また、導電板に、ねじ式二次側接続端子とプラグイン式二次側接続端子とを一体的に設けているため、部材点数の削減を図ることができ、低コスト化や、端子台の組み立て容易性等を図ることができる。
さらに、請求項２に記載の発明によれば、ねじ式二次側接続端子が設けられた枝部を切断することにより、その切断箇所がプラグイン式二次側接続端子として利用可能としているため、プラグイン式二次側接続部として広いスペースが必要となった場合であっても、枝部を適宜切断することによって対応することができる。したがって、多数のプラグイン式ブレーカを接続したい場合に対応可能であるのは勿論のこと、たとえば従来より使用していたねじ式ブレーカをプラグイン式ブレーカに交換するといったような場合にも端子台を交換することなく対応可能であって、非常に汎用性に富んだ端子台とすることができる。
【発明を実施するための最良の形態】
【００１０】
以下、本発明の一実施形態となる端子台について図面を基に説明する。
【００１１】
図１は、端子台１の外観を示した斜視説明図であり、図２及び３は、端子台１を分解した状態を示しており、図２は支持体２、図３（ａ）は第１導電板３、図３（ｂ）は第２導電板４、図３（ｃ）は第３導電板５をそれぞれ示した斜視説明図である。尚、端子台１の各導電板３、４、５取り付け側を、端子台１の正面として説明する。
端子台１は、第１導電板３、第２導電板４、及び第３導電板５と、これらの導電板３、４、５を支持する支持体２とからなるものであって、図示しない分電盤に搭載されるものである。そして、商用電源を一般電灯・コンセント回路用の主幹ブレーカ（図４に示す）２１や電気温水器用ブレーカ（図４に示す）２２に分電すべく、主幹ブレーカ２１及び電気用ブレーカ２２の両者を接続可能となっている。尚、本実施例においては、主幹ブレーカ２１は一般的なねじ式ブレーカであり、電気温水器用ブレーカ２２はプラグイン式ブレーカであるものとする。
【００１２】
支持体２は、絶縁性を有する合成樹脂等により形成されたものであって、その左側には上面、左側面、及び背面を覆うようなカバー部６が設けられている。一方、右側は、３枚の仕切板７（７ａ、７ｂ、７ｃ）、及び右側板８によって仕切られた状態となっており、各仕切板７間、及び仕切板７ｃと右側板８との間は、商用電源入線部２３（図４に示す）と接続されるねじ式の一次側接続部９（９ａ、９ｂ、９ｃ）として設けられている。また、各仕切板７の正面側には、後述の如くして第１導電板３、第２導電板４、及び第３導電板５を差し込むための３つの切り欠き段部１０（１０ａ、１０ｂ、１０ｃ）が刻設されている。各仕切板７において、各切り欠き段部１０は上から１０ａ、１０ｂ、１０ｃの順に刻設されており、導電板を３つの仕切板７ａ、７ｂ、７ｃの対応する切り欠き段部１０、１０、１０にて支持する（たとえば、第１導電板３を切り欠き段部１０ａ、１０ａ、１０ａにて支持する）際に、導電板を略水平姿勢にて支持可能となっている。
【００１３】
第１導電板３は、左右方向に長尺な金属製薄板の中央より稍右側に、前後方向へと突設された一対の枝部を一体的に有する十字状部材である。各枝部の外端部には、ねじを挿入可能なねじ孔１１が穿設されており、正面側の枝部はねじ式二次側接続端子１２として、背面側の枝部は一次側接続端子１３として夫々機能する。また、第１導電板３の左側部は、プラグイン式二次側接続端子１４として機能する。さらに、ねじ式二次側接続端子１２は、必要に応じて切断可能となっている。
該第１導電板３は、各仕切板７の上段の切り欠き段部１０ａ、１０ａ・・に差し込んで係止状態とすることができる。該係止状態において、一次側接続端子１３は一次側接続部９ｂに対応し、ねじ２０により一次側接続部９ｂに固定することができる。尚、支持体２への取り付け状態において、プラグイン式二次側接続端子１４は、カバー部６内に位置することになる。
【００１４】
第２導電板４は、第１導電板３と同様、左右方向に長尺な金属製薄板部材であって、その右端には、一対の枝部が前後方向へと一体的に突設されており、平面Ｔ字状に形成されている。枝部は、薄板部材から一旦前後方向へと略水平に突出した後に、上方へと折り曲げられ、更に前後方向へと略水平に突出するように折り曲げられた側面Ｓ字状に形成されている。また、各枝部の外端部には、ねじを挿入可能なねじ孔１１が穿設されており、正面側の枝部はねじ式二次側接続端子１２として、背面側の枝部は一次側接続端子１３として夫々機能する。さらに、第２導電板４の左側部も、第１導電板３と同様、プラグイン式二次側接続端子１４として機能する。加えて、第２導電板４のねじ式二次側接続端子１２も、必要に応じて切断可能となっている。
該第２導電板４は、各仕切板７の中段の切り欠き段部１０ｂ、１０ｂ・・に差し込んで係止状態とすることができる。該係止状態において、一次側接続端子１３は一次側接続部９ｃに対応し、ねじ２０により一次側接続部９ｃに固定することができる。尚、支持体２への取り付け状態において、第２導電板４のねじ式二次側接続端子１２は、第１導電板３のねじ式二次側接続端子１２と略同じ高さ位置に位置することになる。また、第２導電板４のプラグイン式二次側接続端子１４も、カバー部６内に位置することになる。
【００１５】
第３導電板５は、第１導電板３と同様、左右方向に長尺な金属製薄板の略中央に、前後方向へと突設された一対の枝部を一体的に有する平面十字状部材である。枝部は、第２導電板４と同様、薄板部材から一旦前後方向へと略水平に突出した後に、上方へと折り曲げられ、更に前後方向へと略水平に突出するように折り曲げられた側面Ｓ字状に形成されている。また、各枝部の外端部には、ねじを挿入可能なねじ孔１１が穿設されており、正面側の枝部はねじ式二次側接続端子１２として、背面側の枝部は一次側接続端子１３として夫々機能する。さらに、第３導電板５の左側部も、第１導電板３と同様、プラグイン式二次側接続端子１４として機能する。加えて、第３導電板５のねじ式二次側接続端子１２も、必要に応じて切断可能となっている。
該第３導電板５は、各仕切板７の下段の切り欠き段部１０ｃ、１０ｃ・・に差し込んで係止状態とすることができる。該係止状態において、一次側接続端子１３は一次側接続部９ａに対応し、ねじ２０により一次側接続部９ａに固定することができる。尚、支持体２への取り付け状態において、第３導電板５のねじ式二次側接続端子１２は、第１導電板３のねじ式二次側接続端子１２及び第２導電板４のねじ式二次側接続端子１２と略同じ高さ位置に位置することになる。また、第３導電板５のプラグイン式二次側接続端子１４も、カバー部６内に位置することになる。
【００１６】
上述の如き支持体２、第１導電板３、第２導電板４、及び第３導電板５を構成要素とする端子台１について説明する。
端子台１は、各導電板３、４、５を夫々対応する切り欠き段部１０、１０・・に差し込むとともに、各導電板３、４、５の各一次側接続端子１３を夫々対応する一次側接続部９にてねじ２０により固定してなる。このようにして組み立てられた端子台１は、正面右側にねじ式ブレーカを接続可能な３つのねじ式二次側接続端子１２、１２・・からなるねじ式二次側接続部を、正面左側にプラグイン式ブレーカを接続可能なプラグイン式二次側接続端子１４、１４・・からなるプラグイン式二次側接続部を夫々備えている。尚、プラグイン式二次側接続端子１４、１４・・はカバー部６によって覆われており、周囲に設置されるであろう他の外部機器等との不用意な接触から保護されている。
【００１７】
以上のようにして形成される端子台１の利用について、図４及び５を基に説明する。図４（ａ）は端子台１にねじ式ブレーカ（ここでは、主幹ブレーカ２１）を接続した状態を示した説明図、図４（ｂ）は端子台１にプラグイン式ブレーカ（ここでは、電気温水器用ブレーカ２２）を接続した状態を示した説明図、図４（ｃ）は端子台１に両ブレーカ２１、２２を接続した状態を示した説明図である。また、図５は、端子台１のねじ式二次側接続端子１２を切断して、多数のプラグイン式ブレーカを接続した状態を示した説明図である。
【００１８】
端子台１は、ねじ式二次側接続部を備えているため、図４（ａ）に示す如く、ねじ式ブレーカを接続することができる。また、端子台１は、プラグイン式二次側接続部を備えているため、図４（ｂ）に示す如く、プラグイン式ブレーカを接続することができる。したがって、分電盤内にて、商用電源を一般電灯・コンセント回路用の主幹ブレーカ２１と電気温水器用ブレーカ２２とに分電したい場合には、図４（ｃ）に示す如く、一の端子台１に両ブレーカ２１、２２を同時に接続することができる。
また、たとえば、ねじ式二次側接続端子１２が必要でない上、多数のプラグイン式ブレーカを接続したい場合等には、各導電板３、４、５のねじ式二次側接続端子１２を切断することによって、プラグイン式二次側接続部のスペースを大きくしてやればよい（場合によっては、図５に示す如く、端子台１の正面側全面をプラグイン式二次側接続部とすることも可能である）。
【００１９】
上述の如き構成を有する端子台１によれば、ねじ式ブレーカ及びプラグイン式ブレーカのどちらも接続することができる（すなわち、ブレーカの端子部の構造に制限されない）。したがって、従来のように、ブレーカの一次側端子部の構造に応じて複数種類の端子台を準備したり、分電盤への搭載に際して使い分けたりする必要がなく、使い勝手が非常に良い。
また、一の端子台にねじ式及びプラグイン式の両タイプのブレーカを同時に接続することができるため、従来のように複数の端子台を搭載する場合と比較して、分電盤への搭載に係る作業が容易となる。さらに、従来と比較して、端子台の搭載に必要なスペースを抑えることができる（このことは、ねじ式二次側接続端子１２とプラグイン式二次側接続端子１４とが一次側接続端子１３を共有していることにもよる）ため、分電盤のケースのコンパクト化や、分電盤の設置に係る自由度の向上といった効果をも期待することができる。
【００２０】
さらにまた、各導電板３、４、５は、ねじ式二次側接続端子１２とプラグイン式二次側接続端子１４とを備えている。したがって、部材点数の削減を図ることができ、低コスト化や、端子台１の組み立て容易性等を図ることができる。
またさらに、端子台１は、各導電板３、４、５を夫々対応する切り欠き段部１０、１０・・に差し込んで係止させるとともに、各導電板３、４、５の一次側接続端子１３をねじ２０により固定して組み立てるため、組み立て作業が容易である上、各導電板３、４、５がねじ２０により確実に固定されるため、端子台１の安全性及び信頼性、ひいては分電盤の安全性及び信頼性を向上させることができる。
【００２１】
また、各導電板３、４、５のねじ式二次側接続端子１２は、各導電板３、４、５の支持体２への取り付けにあたって、略同一高さとなるように設けられているため、従来より使用されている一般的なねじ式ブレーカに対しても適用可能であり、汎用性に富む。
加えて、端子台１のねじ式二次側接続端子１２、１２・・を切断可能としているため、プラグイン式二次側接続部として広いスペースが必要となった場合であっても、適宜ねじ式二次側接続端子１２、１２・・を切断することによって対応することができる。したがって、多数のプラグイン式ブレーカを接続したい場合に対応可能であるのは勿論のこと、たとえば従来より使用していたねじ式ブレーカをプラグイン式ブレーカに交換するといったような場合にも端子台１を交換することなく対応可能であって、非常に汎用性に富んだ端子台１とすることができる。
【００２２】
なお、本発明の端子台に係る構成は、上記実施形態の態様に何ら限定されるものではなく、本発明の趣旨を逸脱しない範囲で、必要に応じて適宜変更することができる。
【００２３】
たとえば、上記実施形態では、ねじ式二次側接続端子を切断することなくプラグイン式ブレーカを接続する際に、プラグイン式ブレーカを一つしか接続していないが、当然複数のプラグイン式ブレーカを接続することは可能であって、プラグイン式二次側接続端子の長さ（左右方向幅）も適宜変更可能である。
また、一次側接続端子をねじ式としているが、一次側接続端子をプラグイン式としてもよいし、二次側接続端子の如く両タイプに対応可能な構成としても何ら問題はない。
【００２４】
さらに、各導電板の形状も適宜変更可能であって、上段に取り付けられる第１導電板をＴ字状に、中段及び下段に取り付けられる第２導電板及び第３導電板を平面十字状に形成してもよいし、プラグイン式二次側接続端子として機能する部分を平面Ｌ字状としてプラグイン式二次側接続部の拡張を図るような構成としてもよい。
さらにまた、上記実施形態では、仕切板に切り欠き段部を刻設して各導電板を係止・支持可能としているが、仕切板を階段状に形成して各段部上に導電板を夫々係止させて支持するような構成としても何ら問題はない。
【００２５】
またさらに、上記実施形態では、ねじ式二次側接続端子を切断可能としているのみであるが、ねじ式二次側接続端子を着脱自在な構成とすることも可能である。
加えて、上記実施形態では、一の導電板にねじ式二次側接続端子とプラグイン式二次側接続端子との両方を一体的に備える構成としているが、ねじ式二次側接続端子とプラグイン式二次側接続端子とを独立して設ける（たとえば、ねじ式二次側接続端子とプラグイン式二次側接続端子とで夫々金属板を別にする等）ような構成としてもよい。
【図面の簡単な説明】
【００２６】
【図１】端子台の外観を示した斜視説明図である。
【図２】支持体の外観を示した斜視説明図である。
【図３】（ａ）は第１導電板、（ｂ）は第２導電板、（ｃ）は第３導電板の外観をそれぞれ示した斜視説明図である。
【図４】（ａ）は端子台にねじ式ブレーカを接続した状態を示した説明図、（ｂ）は端子台にプラグイン式ブレーカを接続した状態を示した説明図、（ｃ）は端子台にねじ式及びプラグイン式の両タイプのブレーカを接続した状態を示した説明図である。
【図５】端子台のねじ式二次側接続端子を切断して、多数のプラグイン式ブレーカを接続した状態を示した説明図である。
【符号の説明】
【００２７】
１・・端子台、２・・支持体、３・・第１導電板、４・・第２導電板、５・・第３導電板、６・・カバー部、７、７ａ、７ｂ、７ｃ・・仕切板、８・・右側板、９、９ａ、９ｂ、９ｃ・・一次側接続部、１０、１０ａ、１０ｂ、１０ｃ・・切り欠き段部、１１・・ねじ孔、１２・・ねじ式二次側接続端子、１３・・一次側接続端子、１４・・プラグイン式二次側接続端子、２０・・ねじ、２１・・主幹ブレーカ（ねじ式ブレーカ）、２２・・電気温水器用ブレーカ（プラグイン式ブレーカ）。
【図１】
0004739967.tif 000002
【図２】
0004739967.tif 000003
【図３】
0004739967.tif 000004
【図４】
0004739967.tif 000005
【図５】
0004739967.tif 000006